(57)【要約】【課題】  人体の局部に対する乾燥時間を短縮することができ、大幅な省電力化を図ることができるようにする。【解決手段】  腰掛型便器の温水便座用温風乾燥装置であって、電動モータにより回転駆動されて空気流を発生させるファンと、空気流を加熱して温風にするためのヒータと、ヒータの後流側に配設されて温風を外部へ導くダクト（１３）と、ダクトに配設されてダクト内の温風を外部へ噴出するための噴出口（１５）を有する噴出路（１４）と、噴出路に配設されて温風を噴出路内で加速させるための軸方向断面形状が先細テーパ状に形成された先細テーパ部と、出口開口部（２１）が噴出路の先細テーパ部に沿って配設されて外気を吸気口（２２）から出口開口部にまで導入する外気導入路（２０）とを備える。噴出路の噴出口又は噴出口の近傍に配設されて噴出路内の温風を螺旋状の気流にして噴出口から噴出する螺旋状気流形成手段（３５）をさらに備える。【選択図】  図４
2018178412.tif 000002
【特許請求の範囲】
【請求項１】
腰掛型便器の温水便座用温風乾燥装置であって、電動モータにより回転駆動されて空気流を発生させるファン（１１）と、前記空気流を加熱して温風にするためのヒータ（１２）と、前記ヒータの後流側に配設されて前記温風を外部へ導くダクト（１３）と、前記ダクトに配設されて前記温風を前記外部へ噴出するための噴出口（１５）を有する噴出路（１４）と、前記噴出路に配設されて前記温風を前記噴出路内で加速させるための軸方向断面形状が先細テーパ状に形成された先細テーパ部（３０）と、出口開口部（２１）が前記噴出路の前記先細テーパ部に沿って配設されて外気を吸気口（２２）から前記出口開口部にまで導入する外気導入路（２０）とを備えたことを特徴とする温水便座用温風乾燥装置。
【請求項２】
前記噴出路（１４）の前記噴出口（１５）又は前記噴出口の近傍に配設されて前記噴出路内の前記温風を螺旋状の気流にして前記噴出口から噴出する螺旋状気流形成手段（３５）をさらに備えたことを特徴とする、請求項１に記載の温水便座用温風乾燥装置。
【請求項３】
前記温風を前記噴出路（１４）へ流入させる前記噴出路の流入口（１６）は、前記外気導入管（２０）の外側部（２３）の周りに環状に形成され、前記噴出路の内側部（１７）と前記外気導入管の前記外側部とにより前記先細テーパ部（３０）が形成されることを特徴とする、請求項１又は２に記載の温水便座用温風乾燥装置。
【請求項４】
前記噴出路（１４）は、前記先細テーパ部（３０）の出口（３１）から前記噴出口（１５）までの間に内側部（１７）の軸方向断面形状が末広テーパ状に形成された末広テーパ部（１８）を備えたことを特徴とする、請求項１ないし３のいずれかに記載の温水便座用温風乾燥装置。
【請求項５】
前記噴出路（１４）の前記噴出口（１５）と前記外気導入管（２０）の前記吸気口（２２）は、前記ダクト（１３）を中心にして相互に反対側に配置されていることを特徴とする、請求項１ないし４のいずれかに記載の温水便座用温風乾燥装置。
【請求項６】
腰掛型便器の温水便座用温風乾燥装置であって、電動モータにより回転駆動されて空気流を発生させるファン（１１）と、前記空気流を加熱して温風にするためのヒータ（１２）と、前記ヒータの後流側に配設されて前記温風を外部へ噴出するための噴出口（１５）を有するダクト（１３）と、前記ダクトの前記噴出口又は前記噴出口の近傍に配設されて前記温風を螺旋状の気流にする螺旋状気流形成手段（３５）とを備えたことを特徴とする温水便座用温風乾燥装置。
【請求項７】
前記ダクト（１３）は、前記螺旋状気流形成手段（３５）の上流側に内側部（１７）の軸方向断面形状が末広テーパ状に形成された末広テーパ部（１８）をさらに備えたことを特徴とする、請求項６に記載の温水便座用温風乾燥装置。
【請求項８】
前記螺旋状気流形成手段（３５）は、前記噴出口（１５）又は前記噴出口の近傍に配設された中心軸（３６）と、前記中心軸の周りに前記温風の噴出方向に対して傾斜して取り付けられた固定羽根（３７）とを備えたことを特徴とする、請求項２，６，７のいずれかに記載の温水便座用温風乾燥装置。
【発明の詳細な説明】
【技術分野】
【０００１】
本発明は、腰掛型便器に使用されて好適な、温水便座用温風乾燥装置に関する。
【背景技術】
【０００２】
腰掛型便器（洋式便器ともいう）においては、温水等による洗浄後に、温風乾燥装置から供給される温風により、人体の局部を乾燥させるようになっているものがある。この従来の温水便座用温風乾燥装置においては、まず送風機によって発生させられた空気流が電気ヒーターを通過することにより温度上昇されて温風となる。
【０００３】
そして、この温風が、例えば図６に示すように、出口に整流のための複数の羽根１０２が設けられているダクト１０１を通って、広範囲に吹き出される（例えば、特許文献１〜５参照）。また、ダクトから噴出する温風の速度を増加させるために、ダクトの出口近傍がテーパ状に狭められているものもある（例えば、特許文献１，３，４参照）。
【先行技術文献】
【特許文献】
【０００４】
【特許文献１】特開２０１４−９９２５４号公報
【特許文献２】特開２０１４−８４７１１号公報
【特許文献３】実開平５−４９８８４号公報
【特許文献４】特開２００２−１４６８８４号公報
【特許文献５】実開昭６１−１３０６７３号公報
【発明の概要】
【発明が解決しようとする課題】
【０００５】
上述のように、従来の温水便座用温風乾燥装置においては、送風機によって発生させられた空気流が、電気ヒーターを通過することにより温度上昇されて温風となり、この温風が、出口に整流のための複数の羽根が設けられているダクトを通って、広範囲に吹き出すようになっている。また、ダクトから噴出する温風の速度を増加させるために、ダクトの出口近傍がテーパ状に狭められているものもある。
【０００６】
しかしながら、この従来の温水便座用温風乾燥装置においては、人体の局部を乾燥させるためには、ダクトの出口近傍がテーパ状に狭められているものも含めて、多量の温風が必要であり、このため送風及びヒーター加熱のために多くの電力を要している、という問題がある。
【０００７】
本発明は、このような問題を解決するためになされたもので、ファン及びヒータにより多量の温風を形成しなくても、人体の局部に対する乾燥時間を短縮することができ、大幅な省電力化を図ることができる、温水便座用温風乾燥装置を提供することを課題とする。
【課題を解決するための手段】
【０００８】
上記の課題を解決するために、本発明が採用する手段は、腰掛型便器の温水便座用温風乾燥装置であって、電動モータにより回転駆動されて空気流を発生させるファンと、空気流を加熱して温風にするためのヒータと、ヒータの後流側に配設されて温風を外部へ導くダクトと、ダクトに配設されてダクト内の温風を外部へ噴出するための噴出口を有する噴出路と、この噴出路に配設されて温風を噴出路内で加速させるための軸方向断面形状が先細テーパ状に形成された先細テーパ部と、出口開口部が噴出路の先細テーパ部に沿って配設されて外気を吸気口から出口開口部にまで導入する外気導入路とを備えたことにある。
【０００９】
本発明の温水便座用温風乾燥装置においては、ダクトに配設されてダクト内の温風を外部へ噴出するための噴出口を有する噴出路と、この噴出路に配設されて温風を噴出路内で加速させるための軸方向断面形状が先細テーパ状に形成された先細テーパ部と、出口開口部が噴出路の先細テーパ部に沿って配設されて、外気を吸気口から出口開口部にまで導入する外気導入路とを備えるから、噴出路の先細テーパ部において、所謂ベンチュリ効果により外気導入路から多量の外気が噴出路内へ導入され、先細テーパ部から噴出される温風と外気導入路から供給される外気とが混合されて、噴出路の噴出口から外部へ噴出される。
【００１０】
したがって、乾燥時間の短縮のために噴出路の噴出口から多量の温風を噴出するための手段として、従来のように電動モータに回転駆動されるファンによって多量の空気流を形成する必要はなく、また、ヒータによりこの多量の空気流を加熱する必要がなくなる。このため、大幅な省電力化を図ることができる。
【００１１】
上記の温水便座用温風乾燥装置において、噴出路の噴出口又は噴出口の近傍に配設されて、噴出路内の温風を螺旋状の気流にして噴出口から噴出するための螺旋状気流形成手段をさらに備えることが望ましい。
【００１２】
このように、噴出路の噴出口又は噴出口の近傍に配設されて、噴出路内の温風を螺旋状の気流にして噴出口から噴出するための螺旋状気流形成手段を備えることにより、従来は噴出路の噴出口から広範囲に吹き出されていた温風が、螺旋状気流形成手段によって螺旋状の気流となって人体の局部に集中的に当たるようになり、局部を短時間で乾燥させることができるようになる。すなわち、乾燥時間が短縮され、一層の省電力化を図ることができる。
【００１３】
上記の温水便座用温風乾燥装置において、温風を噴出路へ流入させる噴出路の流入口は、外気導入管の外側部の周りに環状に形成され、噴出路の内側部と外気導入管の外側部とにより、上記先細テーパ部が形成されることが望ましい。
【００１４】
このように、温風を噴出路へ流入させる噴出路への流入口は、外気導入管の外側部の周りに環状に形成されると共に、噴出路の内側部と外気導入管の外側部とにより上記先細テーパ部を形成することにより、噴出路の先細テーパ部において、多量の外気を外気導入路から噴出路内へ、より円滑に導入することができるようになる。
【００１５】
上記の温水便座用温風乾燥装置において、噴出路は、先細テーパ部の出口から噴出口までの間に内側部の軸方向断面形状が末広テーパ状に形成された末広テーパ部を備えることが望ましい。
【００１６】
このように、噴出路は、先細テーパ部の出口から噴出口までの間に内側部の軸方向断面形状が末広テーパ状に形成された末広テーパ部を備えることにより、先細テーパ部から流出した温風は、この末広テーパ部において所謂ディフューザ効果により減速されると共に、圧力上昇されて噴出口から外部へ噴出される。すなわち、末広テーパ部において先細テーパ部で増速及び減圧された温風の減速及び増圧がなされ、人体の局部に対する乾燥に最適な流速及び圧力で噴出口から外部へ噴出される。
【００１７】
上記の温水便座用温風乾燥装置において、噴出路の噴出口と外気導入管の吸気口は、ダクトを中心にして相互に反対側に配置されていることが望ましい。
【００１８】
このように、噴出路の噴出口と外気導入管の吸気口は、ダクトを中心にして相互に反対
側に配置されるようにしたことにより、外気導入管の吸気口から吸入された外気は、噴出路の流入口から流入した温風と先細テーパ部の出口領域で混合された後に、流出方向が変化されることなく、噴出路の噴出口から噴出される。したがって、多量の温風が効率よく外部へ噴出される。
【００１９】
上記の課題を解決するために、本発明が採用する手段は、腰掛型便器の温水便座用温風乾燥装置であって、電動モータにより回転駆動されて空気流を発生させるファンと、この空気流を加熱して温風にするためのヒータと、ヒータの後流側に配設されて温風を外部へ噴出するための噴出口を有するダクトと、ダクトの噴出口又は噴出口の近傍に配設されて温風を螺旋状の気流にするための螺旋状気流形成手段とを備えたことにある。
【００２０】
このように、ダクトの噴出口又は噴出口の近傍に配設されて噴出路内の温風を螺旋状の気流にして噴出口から噴出するための螺旋状気流形成手段を備えることにより、従来はダクトの噴出口から広範囲に吹き出されていた温風が、螺旋状気流形成手段により螺旋状の気流となって人体の局部に集中的に当たるようになり、局部を短時間で乾燥させることができる。すなわち、乾燥時間が短縮され、大幅な省電力化を図ることができる。
【００２１】
上記の温水便座用温風乾燥装置において、ダクトは、螺旋状気流形成手段の上流側に内側部の軸方向断面形状が末広テーパ状に形成された末広テーパ部をさらに備えることが望ましい。このように、ダクトが、螺旋状気流形成手段の上流側にその内側部の軸方向断面形状が末広テーパ状に形成された末広テーパ部を備えることにより、温風は、所謂ディフューザ効果によりこの末広テーパ部において減速されると共に、圧力上昇されて螺旋状気流形成手段に供給される。したがって、螺旋状気流形成手段において、温風の螺旋状の気流がより確実に形成されるようになる。
【００２２】
上記の温水便座用温風乾燥装置において、螺旋状気流形成手段は、噴出口又は噴出口の近傍に配設された中心軸と、この中心軸の周りに温風の噴出方向に対して傾斜して取り付けられた固定羽根とを備えることが望ましい。
【００２３】
このように、螺旋状気流形成手段を、噴出口又は噴出口の近傍に配設された中心軸と、この中心軸の周りに温風の噴出方向に対して傾斜して取り付けられた固定羽根とを備えることにより、噴出口から噴出される温風をより簡易、かつ確実に螺旋状の気流にして噴出することができる。
【発明の効果】
【００２４】
以上のように、本発明の温水便座用温風乾燥装置は、腰掛型便器の温水便座用温風乾燥装置であって、電動モータにより回転駆動されて空気流を発生させるファンと、空気流を加熱して温風にするためのヒータと、ヒータの後流側に配設されて温風を外部へ導くダクトと、ダクトに配設されてダクト内の温風を外部へ噴出するための噴出口を有する噴出路と、この噴出路に配設されて温風を噴出路内で加速させるための軸方向断面形状が先細テーパ状に形成された先細テーパ部と、出口開口部が噴出路の先細テーパ部に沿って配設されて外気を吸気口から出口開口部にまで導入する外気導入路とを備える。
【００２５】
また、本発明の温水便座用温風乾燥装置は、腰掛型便器の温水便座用温風乾燥装置であって、電動モータにより回転駆動されて空気流を発生させるファンと、この空気流を加熱して温風にするためのヒータと、ヒータの後流側に配設されて温風を外部へ噴出するための噴出口を有するダクトと、噴出路の噴出口又は噴出口の近傍に配設されて温風を螺旋状の気流にする螺旋状気流形成手段とを備える。
【００２６】
したがって、ファンとヒータとにより多量の温風を形成しなくても、人体の局部に対す
る乾燥時間を短縮することができ、大幅な省電力化を図ることができる、という優れた効果を奏する。
【図面の簡単な説明】
【００２７】
【図１】本発明に係る温水便座用温風乾燥装置の全体を示す斜視図である。
【図２】図１の温水便座用温風乾燥装置に関し、ヒータカバーを取り外した状態を示す斜視図である。
【図３】図１の温風乾燥装置の正面図である。
【図４】図３の温風乾燥装置の矢線Ａ−Ａにおける断面図である。
【図５】図４の先細テーパ部を示す拡大断面図である。
【図６】図１の温風乾燥装置の背面図である。
【図７】従来の温水便座用温風乾燥装置の一例を示す斜視図である。
【発明を実施するための形態】
【００２８】
本発明に係る温水便座用温風乾燥装置を実施するための形態を、図１ないし図６を参照して詳細に説明する。図１に示すように、本発明の温水便座用温風乾燥装置１０は、腰掛型便器（洋式便器ともいう）の便座１の斜め後方から、温風の噴出口１５を前方にして配設されている。図２に示すように、温水便座用温風乾燥装置１０には、図示しない電動モータによって回転駆動されるファンにより空気流を発生させるファンモジュール（ファン）１１と、このファンモジュール１１から送られてくる空気流を加熱して温風にするためのヒータ１２とが配設される。
【００２９】
ヒータ１２の後流側に配設されて、ヒータ１２で加熱された温風を噴出口１５へ導き、その噴出口１５から温風を外部へ噴出するためのダクト１３が配設される。噴出口１５はダクト１３の出口であり、ダクト１３内の温風を外部へ噴出し、この噴出された温風により人体の局部を乾燥させる。
【００３０】
図４に示すように、ダクト１３の内部に、噴出管（噴出路）１４が配設される。噴出管１４の出口に、上述の噴出口１５が形成されている。噴出口１５は噴出管１４の出口であるが、噴出管１４はダクト１３の一部であるから、噴出口１５はダクト１３の出口とも言える。
【００３１】
噴出管１４は、内側部の全体が軸方向に末広テーパ状に形成されている。すなわち、噴出管１４は、内側部の軸方向断面形状が噴出管１４のほぼ全体にわたって末広テーパ状に形成されている。一方の開口部となる出口開口部２１が上述の噴出管１４に沿って配設されると共に、他方の開口部である吸気口２２から外気を出口開口部２１まで導入する外気導入管（外気導入路）２０が配設される。
【００３２】
図５に示すように、その内側部１７の半径方向断面形状が略円形に形成されてなる噴出管１４の流入口１６は、その外側部２３の半径方向断面形状が略円形でかつ軸方向断面形状がラッパ状に湾曲して末広がりに形成された外気導入管２０の、出口開口部２１の近傍の外側部２３の周りに、環状かつ同軸状に配設される。
【００３３】
噴出管１４の流入口１６の近傍の内側部１７と外気導入管２０の出口開口部２１の近傍の外側部２３とにより、軸方向断面形状が先細テーパ状に形成された流路である噴出管１４の、先細テーパ部３０が形成される。
【００３４】
半径方向断面形状が円形に形成された噴出管１４は、上述のように、その内側部の軸方向断面形状の全体が末広テーパ状に形成されているから、先細テーパ部３０の出口３１から図４に示す噴出口１５までの間の内側部の軸方向断面形状も、当然に末広テーパ状であ
り、この噴出管１４の、先細テーパ部３０の出口３１から噴出口１５までの内側部を末広テーパ部１８と称する。
【００３５】
図３に示すように、噴出管１４の噴出口１５はダクト１３の一側部に開口し、図５に示すように、外気導入管２０の吸気口２２はダクト１３の他側部に開口する。すなわち、噴出管１４の噴出口１５と外気導入管２０の吸気口２２は、ダクト１３を中心にして相互に反対側に配置されている。
【００３６】
図４に示すように、噴出管１４と外気導入管２０は同軸状に、かつ直線状に配設されている。したがって、外気導入管２０の吸気口２２から導入された多量の外気は出口開口部２１で所謂ベンチュリ効果による負圧により吸引されて、先細テーパ部３０を通って加速された温風と、先細テーパ部３０の出口３１の近傍で混合された後、方向を変化させることなく、噴出管１４の噴出口１５から円滑に噴出される。本温水便座用温風乾燥装置１においては、相互に同軸状に、かつ直線状に配設されている噴出管１４と外気導入管２０は、ダクト１３と略直交するように配置されている。
【００３７】
図３及び図４に示すように、噴出管１４の噴出口１５には、噴出管１４内の温風を螺旋状の気流にして噴出口１５から噴出するための螺旋状気流形成羽根（螺旋状気流形成手段）３５が配設される。螺旋状気流形成羽根３５は、噴出口１５の中央部に噴出方向に配設された固定軸（中心軸）３６と、その固定軸３６の周りに温風の噴出方向に対して所定角度で同一方向に傾斜して取り付けられた複数の固定羽根３７とにより形成される。この固定羽根３７により、ダクト１３の噴出管１４を通ってきた温風が螺旋状の気流となって、噴出口１５から噴出される。中心の固定軸３６は、噴出口１５の内周部に固着された複数の固定羽根３７を介してダクト１３に固定されている。
【００３８】
なお、上述の螺旋状気流は、必ずしも整った螺旋形になっているものに限定されるものではなく、温風が噴出口１５から噴出された後に広範囲に拡散しないように、一定程度に螺旋形をなしているものも含まれる。また、螺旋状気流形成手段は、必ずしも上述の噴出口１５の中央部に噴出方向に配設された固定軸３６と、その固定軸３６の周りに温風の噴出方向に対して所定角度で同一方向に傾斜して取り付けられた複数の固定羽根３７とからなるものに限定されるものではない。例えば、複数の固定羽根３７がすべて同じ角度で同一方向に傾斜して取り付けられているものに限定されものではない。また、固定羽根は単一の場合もあり、中心軸は固定羽根の中心とみなされる仮想軸よって形成される場合もある。
【００３９】
上述の温水便座用温風乾燥装置においては、ダクト１３を通ってきた温風は、ダクト１３の噴出管１４の流入口１６から先細テーパ部３０に入り、所謂ベンチュリ効果によりその速度が加速されると共に、圧力低下する。加速されて圧力低下した温風は、先細テーパ部３０の出口３１の近傍で外気導入管２０の出口開口部２１から多量の外気を吸引し、それと混合される。
【００４０】
外気は、外気導入管２０の吸気口２２から負圧により自然吸引される。多量の外気を吸引して混合された噴出管１４内の温風は、螺旋状気流形成羽根３５により螺旋状の気流にされて噴出口１５から外部へ噴出する。温風は、螺旋状の気流になっているから広範囲に拡散することなく人体の局部に集中体に当たって、この局部を短時間で乾燥させる。
【００４１】
このように、本温水便座用温風乾燥装置１０においては、ダクト１３に配設されてダクト１３内の温風を外部へ噴出するための噴出口１５を有する噴出管１４と、この噴出管１４に配設されてダクト１３内の温風を噴出管１４内に加速させて流入させるための、軸方向断面形状が先細テーパ状に形成された先細テーパ部３０と、その出口開口部２１が噴出
管１４の先細テーパ部３０に沿って配設されて、外気を吸気口２２から出口開口部２１にまで導入する外気導入管２０とを備えるから、噴出管１４の先細テーパ部３０において、所謂ベンチュリ効果により外気導入管２０から多量の外気が噴出管１４内へ導入されて、先細テーパ部３０から噴出される温風と外気導入管２０から供給される外気とが混合される。このため、多量の温風が噴出管１４の噴出口１５から外部へ噴出される。
【００４２】
したがって、乾燥時間の短縮のために噴出管１４の噴出口１５から多量の温風を噴出する方法として、電動モータに回転駆動されるファンによって多量の空気流を形成する必要はなく、また、ヒータによりこの多量の空気流を加熱する必要がなくなる。このため、大幅な省電力化を図ることができる。
【００４３】
また、噴出管１４の噴出口１５に配設されて、噴出管１４内の温風を螺旋状の気流にして噴出口１５から噴出するための螺旋状気流形成羽根３５を備えることにより、従来は噴出管の噴出口から広範囲に吹き出されていた温風が、螺旋状気流形成羽根３５によって螺旋状の気流となって人体の局部に集中的に当たるようになり、短時間で乾燥させることができる。すなわち、乾燥時間が短縮され、一層の小電力化を図ることができる。なお、螺旋状気流形成羽根３５は噴出管１４の噴出口１５の近傍、例えば噴出口１５から多少奥まった位置などに配設してもよい。
【００４４】
さらに、温風を噴出管１４へ流入させる流入口１６は、外気導入管２０の出口開口部２１の近傍の外側部２３の周りに環状に形成されると共に、この噴出管１４の流入口１６の近傍の内側部１７と外気導入管２０の出口開口部２１の近傍の外側部２３とにより上述の先細テーパ部３０が形成されることにより、この先細テーパ部３０において、所謂ベンチュリ効果によって外気導入管２０から多量の外気を噴出管１４内へ、より円滑に導入することができるようになる。
【００４５】
また、噴出管１４は、先細テーパ部３０の出口３１から噴出口１５までの間に、その内側部の軸方向断面形状が末広テーパ状に形成された末広テーパ部１８を備えることにより、先細テーパ部３０から流出した温風は、この末広テーパ部１８において所謂ディフューザ効果により減速されると共に、圧力上昇されて噴出口１５から外部へ噴出される。すなわち、末広テーパ部１８において先細テーパ部３０で増速及び減圧された温風の減速及び増圧がなされ、人体の局部に対する乾燥に最適な流速及び圧力で噴出口１５から外部へ噴出される。
【００４６】
特に、本温水便座用温風乾燥装置においては、末広テーパ部１８の下流側に温風を螺旋状の気流にして噴出口１５から噴出するための螺旋状気流形成羽根３５が配設されているから、温風が末広テーパ部１８において減速及び増圧されることにより、螺旋状気流形成羽根３５の固定羽根３７の羽根表面における温風の剥離が防止され、この螺旋状気流形成羽根３５による螺旋状気流の形成がより確実に行われる。
【００４７】
さらに、噴出管１４の噴出口１５と外気導入管２０の吸気口２２は、ダクト１３を挟んで（中心にして）相互に反対側に配置されるから、外気導入管２０の吸気口２２から吸入された外気は、噴出管１４の流入口１６から流入した温風と先細テーパ部３０の出口３１の領域で混合された後に、流出方向が変化されることなく噴出管１４の噴出口１５から噴出されるから、多量の温風が効率よく外部へ噴出される。
【００４８】
また、螺旋状気流形成羽根３５を、噴出口１５の中央部に噴出方向に配設された固定軸３６と、この固定軸３６を中心にして固定軸３６の周りに温風の噴出方向に対して所定角度で同一方向に傾斜して取り付けられて温風を螺旋状の気流にする複数の固定羽根３７とから形成することにより、噴出口１５から噴出される温風をより簡易、かつ確実に螺旋状
の気流にして噴出することができる。
【００４９】
なお、上述の温水便座用温風乾燥装置は一例にすぎず、本発明の趣旨に基づいて種々の変形が可能であり、それらを本発明の範囲から排除するものではない。
【符号の説明】
【００５０】
１  便座
１０  温水便座用温風乾燥装置
１１  ファンモジュール
１２  ヒータ
１３  ダクト
１４  噴出管（噴出路）
１５  噴出口
１６  流入口
１７  内側部
１８  末広テーパ部
２０  外気導入管（外気導入路）２０
２１  出口開口部
２２  吸気口
２３  外側部
３０  先細テーパ部
３１  出口
３５  螺旋状気流形成羽根（螺旋状気流形成手段）
３６  固定軸（中心軸）
３７  固定羽根
１０１  ダクト
１０２  整流羽根
１０３  噴出口
【図１】
2018178412.tif 000003
【図２】
2018178412.tif 000004
【図３】
2018178412.tif 000005
【図４】
2018178412.tif 000006
【図５】
2018178412.tif 000007
【図６】
2018178412.tif 000008
【図７】
2018178412.tif 000009